(57)【特許請求の範囲】
【請求項１】
可搬型のディテクタパネルであって、
表面にＸ線検出面を有するＸ線検出器アセンブリと、
前記Ｘ線検出器アセンブリを内部に収納する、少なくとも前記Ｘ線検出面に対向する上部がＸ線透過性の筐形状のケースと、 
前記ケースの内部に収納されたＸ線検出器アセンブリを前記ケースの内底壁から離間した状態で支持するスペーサであって、前記Ｘ線検出器アセンブリと前記ケースの内底壁との間に設けられている、前記Ｘ線検出器アセンブリ又は前記ケースと一体構造となっている硬質材料からなるスペーサと 
を備え、
前記スペーサは、前記ケースの内底壁に対して垂直方向である高さ方向の一部が他の部分よりも細い柱状形状であることを特徴とするディテクタパネル。
【請求項２】
可搬型のディテクタパネルであって、
表面にＸ線検出面を有するＸ線検出器アセンブリと、
前記Ｘ線検出器アセンブリを内部に収納する、少なくとも前記Ｘ線検出面に対向する上部がＸ線透過性の筐形状のケースと、 
前記ケースの内部に収納されたＸ線検出器アセンブリを前記ケースの内底壁から離間した状態で支持するスペーサであって、前記Ｘ線検出器アセンブリと前記ケースの内底壁との間に設けられている、前記Ｘ線検出器アセンブリ又は前記ケースと一体構造となっている硬質材料からなるスペーサと 
を備え、
Ｘ線検出器アセンブリを支持する全ての前記スペーサは、前記Ｘ線検出器アセンブリの前記Ｘ線検出面と略平行な方向への動きに対して可撓となるような、中心部を中空となるような柱状形状であることを特徴とするディテクタパネル。
【請求項３】
前記Ｘ線検出器アセンブリは、
支持基板と、
前記支持基板の上面に支持されたＸ線検出器と、
前記支持基板の下面に支持された電気回路基板と、
前記Ｘ線検出器と前記電気回路とを電気的に接続するフレキシブル回路基板と
を備えたことを特徴とする請求項１または２に記載のディテクタパネル。
【請求項４】
前記スペーサは、前記Ｘ線検出器アセンブリにおける前記支持基板と前記ケースの内底壁に接続されていることを特徴とする請求項３に記載のディテクタパネル。 
【請求項５】
前記スペーサは、前記Ｘ線検出器アセンブリの４箇所の角部に設けられていることを特徴とする請求項１〜４のいずれか一項に記載のディテクタパネル。 
【請求項６】
前記ディテクタパネルは、前記ケースの内側壁と前記Ｘ線検出器アセンブリとの間に、前記Ｘ線検出器アセンブリ又は前記ケースと一体構造となっている硬質材料の緩衝部をさらに備えていることを特徴とする請求項１〜５のいずれか一項に記載のディテクタパネル。 
【請求項７】
前記緩衝部材は、前記ケースの内側壁に設けられた、前記Ｘ線検出器アセンブリの前記Ｘ線検出面と略平行な方向への押圧に対して可撓の梁を備えていることを特徴とする請求項６に記載のディテクタパネル。 
【請求項８】
前記緩衝部材は、前記ケースの内側壁と前記Ｘ線検出器アセンブリとの間に、前記Ｘ線検出器アセンブリの前記Ｘ線検出面と略平行な方向への押圧に対して可撓の梁を備えていることを特徴とする請求項６に記載のディテクタパネル。 
【請求項９】
Ｘ線照射器と制御回路を備えたシステムコンソールと、
前記Ｘ線照射器により発生するＸ線を検出する可搬型のディテクタパネルであって、
表面にＸ線検出面を有するＸ線検出器アセンブリと、
前記Ｘ線検出器アセンブリを内部に収納する、少なくとも前記Ｘ線検出面に対向する上部がＸ線透過性の筐形状のケースと、 
前記ケースの内部に収納されたＸ線検出器アセンブリを前記ケースの内底壁から離間した状態で支持するスペーサであって、前記Ｘ線検出器アセンブリと前記ケースの内底壁との間に設けられている、前記Ｘ線検出器アセンブリ又は前記ケースと一体構造となっている硬質材料からなるスペーサと 
を備えたディテクタパネルと
を備え、
前記スペーサは、前記ケースの内底壁に対して垂直方向である高さ方向の一部が他の部分よりも細い柱状形状であることを特徴とするＸ線撮影装置。
【請求項１０】
Ｘ線照射器と制御回路を備えたシステムコンソールと、
前記Ｘ線照射器により発生するＸ線を検出する可搬型のディテクタパネルであって、
表面にＸ線検出面を有するＸ線検出器アセンブリと、
前記Ｘ線検出器アセンブリを内部に収納する、少なくとも前記Ｘ線検出面に対向する上部がＸ線透過性の筐形状のケースと、 
前記ケースの内部に収納されたＸ線検出器アセンブリを前記ケースの内底壁から離間した状態で支持するスペーサであって、前記Ｘ線検出器アセンブリと前記ケースの内底壁との間に設けられている、前記Ｘ線検出器アセンブリ又は前記ケースと一体構造となっている硬質材料からなるスペーサと 
を備えたディテクタパネルと
を備え、
Ｘ線検出器アセンブリを支持する全ての前記スペーサは、前記Ｘ線検出器アセンブリの前記Ｘ線検出面と略平行な方向への動きに対して可撓となるような、中心部を中空となるような柱状形状であることを特徴とする請求項９に記載のＸ線撮影装置。 
【請求項１１】
前記Ｘ線検出器アセンブリは、
支持基板と、
前記支持基板の上面に支持されたＸ線検出器と、
前記支持基板の下面に支持された電気回路基板と、
前記Ｘ線検出器と前記電気回路とを電気的に接続するフレキシブル回路基板と
を備えたことを特徴とする請求項９または１０に記載のＸ線撮影装置。
【請求項１２】
前記スペーサは、前記Ｘ線検出器アセンブリにおける前記支持基板と前記ケースの内底壁に接続されていることを特徴とする請求項１１に記載のＸ線撮影装置。 
【請求項１３】
前記スペーサは、前記Ｘ線検出器アセンブリの４箇所の角部に設けられていることを特徴とする請求項９〜１２のいずれか一項に記載のＸ線撮影装置。 
【請求項１４】
前記ディテクタパネルは、前記ケースの内側壁と前記Ｘ線検出器アセンブリとの間に、前記Ｘ線検出器アセンブリ又は前記ケースと一体構造となっている硬質材料の緩衝部をさらに備えていることを特徴とする請求項９〜１３のいずれか一項に記載のＸ線撮影装置。 
【請求項１５】
前記緩衝部材は、前記ケースの内側壁に設けられた、前記Ｘ線検出器アセンブリの前記Ｘ線検出面と略平行な方向への押圧に対して可撓の梁を備えていることを特徴とする請求項１４に記載のＸ線撮影装置。 
【請求項１６】
前記緩衝部材は、前記ケースの内側壁と前記Ｘ線検出器アセンブリとの間に、前記Ｘ線検出器アセンブリの前記Ｘ線検出面と略平行な方向への押圧に対して可撓の梁を備えていることを特徴とする請求項１４に記載のＸ線撮影装置。
【発明の詳細な説明】
【技術分野】
【０００１】
本発明は、ディテクタパネル(detector panel)およびＸ線撮影装置に関し、特に、Ｘ線検出器アセンブリ(assembly)をケース(case)に収容した可搬型のディテクタパネル、および、そのようなディテクタパネルを使用するＸ線撮影装置に関する。
【背景技術】
【０００２】
Ｘ線撮影装置の一種に、モバイル(mobile)型のものがある。この種のＸ線撮影装置は、移動型のシステムコンソール(system console)と可搬型のディテクタパネルで構成される。システムコンソールはＸ線照射器と制御回路を備え、ディテクタパネルはＸ線検出器アセンブリとそれを収容するＸ線透過性の扁平なケースで構成される。
【０００３】
Ｘ線撮影は、Ｘ線撮影装置を患者の病室まで移動させて行われる。病室での撮影は、ディテクタパネルを患者の撮影部位にあてがい、反対側からＸ線を照射することによって行われる。ディテクタパネルが検出したＸ線信号は、有線または無線でシステムコンソールに伝達される（例えば、特許文献１参照）。
【０００４】
Ｘ線検出器アセンブリは、入射したＸ線を電気信号に変換するＸ線検出素子の２次元アレイ(array)を含むＸ線検出器と、支持基板と、インターフェース(interface)回路と、前記Ｘ線検出器と前記インターフェース回路とを接続するフレキシブル回路基板で構成される。
【０００５】
Ｘ線検出素子の２次元アレイは支持基板の表面に取り付けられ、インターフェース回路は支持基板の裏面に取り付けられ、フレキシブル回路基板は、支持基板の表面から裏面に渡り取り付けられている。
【０００６】
このようなＸ線検出器アセンブリが、ケース内で適宜の硬質材料からなるスペーサ(spacer)を介してリジッド(rigid)に内底壁に固定されるか、あるいは、スペーサの下に衝撃吸収用の軟質材料からなるクッション（cushion)を入れて固定される（例えば、特許文献２参照）。
【特許文献１】特開２００２−３３６２２７号公報（段落番号００１７-００２０、図１）
【特許文献２】米国特許明細書第６７００１２６号公報（コラム３−５、Ｆｉｇ．４）
【発明の開示】
【発明が解決しようとする課題】
【０００７】
ケース内にＸ線検出器アセンブリを硬質材料からなるスペーサで固定したものは、ディテクタパネルを床に落としたり何かにぶつけたときの衝撃がじかに伝わるので、Ｘ線検出器アセンブリが故障しやすい。スペーサの下にクッションを入れたものは、Ｘ線検出器アセンブリへの衝撃が緩和されるものの、クッション材の信頼性が問題となる。
【０００８】
また、クッションが介在することにより、Ｘ線検出器アセンブリの精密な位置決めが困難なため製造製が悪く、さらに、クッションの温度特性や外部振動の影響等により、Ｘ線検出器アセンブリの外的環境に対する安定性が悪い。
【０００９】
そこで、本発明の課題は、耐衝撃性を有し、外的環境に対する安定性が良いディテクタパネル、および、そのようなディテクタパネルを使用するＸ線撮影装置を実現することである。
【課題を解決するための手段】
【００１０】
課題を解決するための発明は、第１の観点では、可搬型のディテクタパネルであって、表面にＸ線検出面を有するＸ線検出器アセンブリと、前記Ｘ線検出器アセンブリを内部に収納する、少なくとも前記Ｘ線検出面に対向する上部がＸ線透過性の筐形状のケースと、前記ケースの内部に収納されたＸ線検出器アセンブリを前記ケースの内底壁から離間した状態で支持するスペーサであって、前記Ｘ線検出器アセンブリと前記ケースの内底壁との間に設けられている、前記Ｘ線検出器アセンブリの前記Ｘ線検出面と略平行な方向の動きに対して可撓の形状を有する硬質材料からなるスペーサとを備えたことを特徴とするディテクタパネルである。
【００１１】
課題を解決するための発明は、第２の観点では、前記スペーサにおける前記Ｘ線検出器アセンブリの前記Ｘ線検出面と略平行な方向の動きに対して可撓の形状は、前記ケースの内底壁に対して垂直方向である高さ方向の一部が他の部分よりも細い柱状形状であることを特徴とする第１の観点に記載のディテクタパネルである。
【００１２】
課題を解決するための発明は、第３の観点では、前記スペーサにおける前記Ｘ線検出器アセンブリの前記Ｘ線検出面と略平行な方向の動きに対して可撓の形状は、少なくとも中心部が中空の柱状形状であることを特徴とする第１の観点に記載のディテクタパネルである。
【００１３】
課題を解決するための発明は、第４の観点では、前記Ｘ線検出器アセンブリは、支持基板と、前記支持基板の上面に支持されたＸ線検出器と、前記支持基板の下面に支持された電気回路基板と、前記Ｘ線検出器と前記電気回路とを電気的に接続するフレキシブル回路基板とを備えたことを特徴とする第１の観点ないし第３の観点のいずれかに記載のディテクタパネルである。
【００１４】
課題を解決するための発明は、第５の観点では、前記スペーサは、前記Ｘ線検出器アセンブリにおける前記支持基板と前記ケースの内底壁に接続されていることを特徴とする請求項４に記載のディテクタパネルである。
【００１５】
課題を解決するための発明は、第６の観点では、前記スペーサは、前記Ｘ線検出器アセンブリの４箇所の角部に設けられていることを特徴とする第１の観点ないし第５の観点のいずれかに記載のディテクタパネルである。
【００１６】
課題を解決するための発明は、第７の観点では、前記ディテクタパネルは、前記ケースの内側壁と前記Ｘ線検出器アセンブリとの間に、硬質材料からなり、前記Ｘ線検出器アセンブリの前記Ｘ線検出面と略平行な方向への動きに対して可撓の形状の緩衝部材をさらに備えていることを特徴とする第１の観点ないし第６の観点のいずれかに記載のディテクタパネルである。
【００１７】
課題を解決するための発明は、第８の観点では、前記緩衝部材は、前記ケースの内側壁に設けられた、前記Ｘ線検出器アセンブリの前記Ｘ線検出面と略平行な方向への押圧に対して可撓の梁を備えていることを特徴とする第７の観点に記載のディテクタパネルである。
【００１８】
課題を解決するための発明は、第９の観点では、前記緩衝部材は、前記ケースの内側壁と前記Ｘ線検出器アセンブリとの間に、前記Ｘ線検出器アセンブリの前記Ｘ線検出面と略平行な方向への押圧に対して可撓の梁を備えていることを特徴とする第７の観点に記載のディテクタパネルである。
【００１９】
課題を解決するための発明は、第１０の観点では、Ｘ線照射器と制御回路を備えたシステムコンソールと、前記Ｘ線照射器により発生するＸ線を検出する可搬型のディテクタパネルであって、表面にＸ線検出面を有するＸ線検出器アセンブリと、前記Ｘ線検出器アセンブリを内部に収納する、少なくとも前記Ｘ線検出面に対向する上部がＸ線透過性の筐形状のケースと、前記ケースの内部に収納されたＸ線検出器アセンブリを前記ケースの内底壁から離間した状態で支持するスペーサであって、前記Ｘ線検出器アセンブリと前記ケースの内底壁との間に設けられている、前記Ｘ線検出器アセンブリの前記Ｘ線検出面と略平行な方向の動きに対して可撓の形状を有するスペーサとを備えたディテクタパネルとを備えたことを特徴とするＸ線撮影装置である。
【００２０】
課題を解決するための発明は、第１１の観点では、前記スペーサにおける前記Ｘ線検出器アセンブリの前記Ｘ線検出面と略平行な方向の動きに対して可撓の形状は、前記ケースの内底壁に対して垂直方向である高さ方向の一部が他の部分よりも細い柱状形状であることを特徴とする第１０の観点に記載のＸ線撮影装置である。
【００２１】
課題を解決するための発明は、第１２の観点では、前記スペーサにおける前記Ｘ線検出器アセンブリの前記Ｘ線検出面と略平行な方向の動きに対して可撓の形状は、少なくとも中心部が中空の柱状形状であることを特徴とする第１０の観点に記載のＸ線撮影装置である。
【００２２】
課題を解決するための発明は、第１３の観点では、前記Ｘ線検出器アセンブリは、支持基板と、前記支持基板の上面に支持されたＸ線検出器と、前記支持基板の下面に支持された電気回路基板と、前記Ｘ線検出器と前記電気回路とを電気的に接続するフレキシブル回路基板とを備えたことを特徴とする第１０の観点ないし第１２の観点のいずれかに記載のＸ線撮影装置である。
【００２３】
課題を解決するための発明は、第１４の観点では、前記スペーサは、前記Ｘ線検出器アセンブリにおける前記支持基板と前記ケースの内底壁に接続されていることを特徴とする請求項１３に記載のＸ線撮影装置である。
【００２４】
課題を解決するための発明は、第１５の観点では、前記スペーサは、前記Ｘ線検出器アセンブリの４箇所の角部に設けられていることを特徴とする第１０の観点ないし第１４の観点のいずれかに記載のＸ線撮影装置である。
【００２５】
課題を解決するための発明は、第１６の観点では、前記ディテクタパネルは、前記ケースの内側壁と前記Ｘ線検出器アセンブリとの間に、前記Ｘ線検出器アセンブリの前記Ｘ線検出面と略平行な方向への動きに対して可撓の形状の緩衝部材をさらに備えていることを特徴とする第１０の観点ないし第１５の観点のいずれかに記載のＸ線撮影装置である。
【００２６】
課題を解決するための発明は、第１７の観点では、前記緩衝部材は、前記ケースの内側壁に設けられた、前記Ｘ線検出器アセンブリの前記Ｘ線検出面と略平行な方向への押圧に対して可撓の梁を備えていることを特徴とする請求項１６に記載のＸ線撮影装置である。
【００２７】
課題を解決するための発明は、第１８の観点では、前記緩衝部材は、前記ケースの内側壁と前記Ｘ線検出器アセンブリとの間に、前記Ｘ線検出器アセンブリの前記Ｘ線検出面と略平行な方向への押圧に対して可撓の梁を備えていることを特徴とする請求項１６に記載のＸ線撮影装置である。
【発明の効果】
【００２８】
本発明によれば、ディテクタパネルは、Ｘ線検出器アセンブリとケースの内底壁との間に、Ｘ線検出器アセンブリの、Ｘ線検出面と略平行な方向の動きに対する可撓形状を有する硬質材料からなるスペーサを備えることにより、耐衝撃性を有し、外的環境に対する安定性が良いディテクタパネル、および、そのようなディテクタパネルを使用するＸ線撮影装置を実現することができる。
【発明を実施するための最良の形態】
【００２９】
以下、図面を参照して発明を実施するための最良の形態を詳細に説明する。なお、本発明は、発明を実施するための最良の形態に限定されるものではない。図１に、Ｘ線撮影装置の外観を示す。本装置は発明を実施するため最良の形態の一例である。本装置の構成によって、Ｘ線撮影装置に関する発明を実施するため最良の形態の一例が示される。
【００３０】
図１に示すように、本装置は、システムコンソール１００を有する。システムコンソール１００は、概ね直方体状の箱型の構造物であり、内部に撮影制御用の電子回路が収容されている。システムコンソール１００は、下部に移動用のキャスター(caster)１０２を有し、上部に手押し用のハンドル(handle)１０４を有する。これによって、本装置は、図２に示すように、自由に移動させることが可能な移動型のＸ線撮影装置となる。
【００３１】
システムコンソール１００の上面は操作パネル(panel)１０６となっており、例えば、グラフィックディスプレー(graphic display)やキーボード(keyboard)等のマン・マシンコミュニケーション(man-machine communication)機器を備えている。
【００３２】
システムコンソール１００の背後には垂直なコラム(column)１１０が設けられ、コラム１１０から水平に伸びるアーム(arm)１２０の先端にＸ線照射器１３０が取り付けられている。Ｘ線照射器１３０は、ケーブル１３２を通じてシステムコンソール１００から供給される高電圧によってＸ線を発生する。
【００３３】
Ｘ線照射器１３０は、アーム１２０の先端において向きが変更可能となっている。アーム１２０はコラム１１０に沿って上下移動可能であり、コラム１１０は長手方向の軸を中心としてスピン(spin)可能となっている。
【００３４】
本装置は、ディテクタパネル２００を有する。ディテクタパネル２００は、概ね矩形の板状の構造物であり、システムコンソール１００とは別体に構成され、持ち運び可能となっている。ディテクタパネル２００は、非撮影時にはシステムコンソール１００の正面のビン１０８に収納され、撮影時にビン１０８から取出して使用される。ディテクタパネル２００は、発明を実施するため最良の形態の一例である。ディテクタパネル２００の構成によって、ディテクタパネルに関する発明を実施するため最良の形態の一例が示される。
【００３５】
図３に、本装置の使用中の情景を示す。図３に示すように、本装置は病室で使用される。Ｘ線撮影は、ディテクタパネル２００を例えば患者の後側にあてがい、システムコンソール１００のＸ線照射器１３０で前側からＸ線を照射することによって行う。ディテクタパネル２００が検出したＸ線信号は、ワイヤレスにまたはケーブル（図示せず）によってシステムコンソール１００に伝達される。
【００３６】
図４に、ディテクタパネル２００の基本構成を示す。図４に示すように、ディテクタパネル２００は、筐状のケース５５に、矩形の板状のＸ線検出器アセンブリ５１を収容したものとなっている。ケース５５は、Ｘ線検出器アセンブリ５１のＸ線検出面５２ａ’に対向する上部がＸ線透過性の材料で構成され、一端部に取手５５２を有する。
【００３７】
図５に、ディテクタパネル２００の内部構成の一例を示す。図５は、ディテクタパネル２００の垂直断面図である。図５に示すように、Ｘ線検出器アセンブリ５１は、Ｘ線検出器５２と支持基板５３と電気回路基板５４で構成される。Ｘ線検出器５２は支持基板５３の表面に設けられ、電気回路基板５４は支持基板５３の裏面に設けられ、両者はフレキシブル回路基板５６で電気的に接続される。
【００３８】
Ｘ線検出器５２は、シンチレータレイヤー(scintillator layer)５２ａと光電変換レイヤー５２ｂをガラスサブストレート(glass substrate)５２ｃ上に積層したものであり、シンチレータレイヤー５２ａでＸ線を光に変換し、光電変換レイヤー５２ｂで光を電気信号に変換する。光電変換レイヤー５２ｂは、例えばフォトダイオード(photo diode)等の光電変換素子の２次元アレイ(array)で構成される。変換された電気信号は、フレキシブル回路基板５６を通じて電気回路基板５４に入力される。
【００３９】
電気回路基板５４には電気回路が搭載されている。電気回路は、システムコンソール１００に対するインターフェース(interface)であって、入力信号をディジタルデータ(digital data)に変換して、ワイヤレスにまたはケーブル（図示せず）によってシステムコンソール１００に伝送する。
【００４０】
支持基板５３の裏面には、角部に４本のスペーサ５７ｂが形成されている。支持基板５３はスペーサ５７ｂによって、ケース５５の内底壁の上に自立している。
スペーサ５７ｂは、支持基板５３と一体構造となっている。そのようなスペーサ５７ｂは、例えば、支持基板５３をスペーサ５７ｂともに一体成形すること等によって構成される。スペーサ５７ｂの先端は、ケース５５の内底壁に、接着あるいはねじ止め等により固定される。
【００４１】
スペーサ５７ｂは、硬質材料からなりスペーサの高さ方向の中央部がくびれた柱状形状を有することにより、Ｘ線検出器アセンブリ５１に加わる水平方向（Ｘ線検出面５２ａ’に略平行な方向）の衝撃や振動に対する可撓形状となっている。
【００４２】
すなわち、スペーサ５７ｂは、硬質材料であることにより支持基板５３への支持を堅固なものとし、さらに、中央部の細い柱状部分を有することにより、支持基板５３の水平方向への動きに伴い撓む可撓形状となっている。
【００４３】
ここで、可撓形状とは、通常の使用時に遭遇する衝撃や振動の領域では剛体として機能し、床に落としたり何かにぶつけたときに加わる過激な衝撃や振動の領域では、弾性体として機能してエネルギー(energy)を吸収する形状である。そのようなスペーサ５７ｂは、材料、形状および寸法を適宜に設計することによって実現される。
【００４４】
スペーサ５７ｂは、通常の使用状態ではリジッドな支持機構として機能する。このため、Ｘ線検出器アセンブリ５１の精密な位置決めが容易であり、また、製造性が良くかつ安定である。
【００４５】
一方、水平方向に過激な衝撃や振動が加わったときは、スペーサ５７ｂは、緩衝機構として機能する。なお、水平方向の過激な衝撃や振動が加わるのは、ディテクタパネル２００の角や縁が床あるいは異物に衝突した場合等である。
【００４６】
スペーサ５７ｂが緩衝機構として機能することにより、Ｘ線検出器アセンブリ５１への衝撃等が緩和され、Ｘ線検出器アセンブリ５１は故障しにくくなる。しかも、緩衝用にクッション材等を用いないので信頼性が高い。
【００４７】
Ｘ線検出器アセンブリ５１の支持は、図６に示すように、ケース５５の内底壁から立ち上がる複数の柱からなるスペーサ５７ｃによって行うようにしても良い。スペーサ５７ｃは、ケース５５と一体構造となっている。そのようなスペーサ５７ｃは、例えば、ケース５５をスペーサ５７ｃともに一体成形すること等によって構成される。Ｘ線検出器アセンブリ５１は、スペーサ５７ｃの先端に接着あるいはねじ止め等によって固定される。
【００４８】
スペーサ５７ｃは、硬質材料からなりスペーサの中心部が中空の柱状形状を有することにより、Ｘ線検出器アセンブリ５１に加わる水平方向の衝撃や振動に対する可撓形状となっている。
【００４９】
すなわちスペーサ５７ｃは、硬質材料からなる細い柱を間隔をあけて４本備えることにより，支持基板５３への支持を堅固なものとし，さらに細い柱により支持基板５３の水平方向への動き伴い撓む可撓形状となっている。そのような可撓形状は、スペーサ５７ｃの材料、形状および寸法を適宜に定めることによって実現される。
【００５０】
スペーサ５７ｃは、通常の使用状態では、リジッドな支持機構として機能する。このため、Ｘ線検出器アセンブリ５１の精密な位置決めが容易であり、また、製造性が良くかつ安定である。
【００５１】
一方、水平方向に過激な衝撃や振動が加わったときは、スペーサ５７ｃは、実質的な緩衝機構として機能する。このため、Ｘ線検出器アセンブリ５１への衝撃等が緩和され、Ｘ線検出器アセンブリ５１は故障しにくくなる。しかも、緩衝用にクッション材等を用いないので信頼性が高い。
【００５２】
なお、Ｘ線検出器アセンブリ５１とケースの内側壁とは、衝撃を受けた際の接触を避けるため、ある程度の間隔を設けることが好ましい。さらにＸ線検出器アセンブリ５１とケース内側壁とのの間に、Ｘ線検出器アセンブリ５１の水平方向の動きに対して緩衝作用を及ぼす緩衝部材を備えることが好ましい。
【００５３】
図７に、ディテクタパネル２００の内部構成の一例を水平断面図で示す。図７に示すように、ケース５５は、内周面の４つの隅に緩衝部材５９ａをそれぞれ有する。緩衝部材５９ａは、Ｘ線検出器アセンブリ５１による水平方向の押圧によって可撓な、一端がケースに固定された１対の片持ち梁で構成される。１対の片持ち梁は、片持ち部分での開き角度が９０度である。緩衝部材５９ａは、ケース５５と一体構造となっている。そのような緩衝部材５９ａは、例えば、ケース５５を緩衝部材５９ａともに一体成形すること等によって構成される。
【００５４】
このような緩衝部材５９ａに対応して、支持基板５３は、４つの角に突出部５３ａをそれぞれ有する。４つの突出部５３ａは、４つの緩衝部材５９ａと隙間を隔ててそれぞれ対向する。あるいは、図８に示すように、突出部５３ａは緩衝部材５９ａに接触状態で対向するようにしても良い。
【００５５】
このようなケース５５と支持基板５３の構造により、過激な衝撃や振動によってＸ線検出器アセンブリ５１が水平方向に大きく変位したとき、Ｘ線検出器アセンブリ５１は緩衝部材５９ａで弾性的に受け止められ、衝撃が緩和される。
【００５６】
図９に、ディテクタパネル２００の内部構成の他の例を水平断面図で示す。図９に示すように、支持基板５３は、四辺に緩衝部材６０ａをそれぞれ有する。緩衝部材６０ａは、Ｘ線検出器アセンブリ５１による水平方向の押圧によって可撓な、両端が支持部材５３に固定された両持ち梁で構成される。
【００５７】
緩衝部材６０ａは、支持基板５３と一体構造となっている。そのような緩衝部材６０ａは、例えば、支持基板５３を緩衝部材６０ａともに一体成形すること等によって構成される。
【００５８】
このような緩衝部材６０ａに対応して、ケース５５は、四方の内周面に突出部６１ａをそれぞれ有する。４つの突出部６１ａは、４つの緩衝部材６０ａと隙間を隔ててそれぞれ対向する。あるいは、図１０に示すように、突出部６１ａは緩衝部材６０ａに接触状態で対向するようにしても良い。
【００５９】
このようなケース５５と支持基板５３の構造により、過激な衝撃や振動によってＸ線検出器アセンブリ５１が水平方向に大きく変位したとき、Ｘ線検出器アセンブリ５１は緩衝部材６０ａで弾性的に受け止められ、衝撃が緩和される。
【図面の簡単な説明】
【００６０】
【図１】本発明を実施するため最良の形態の一例のＸ線撮影装置の外観を示す図である。
【図２】本発明を実施するため最良の形態の一例のＸ線撮影装置の移動中の様子を示す図である。
【図３】本発明を実施するため最良の形態の一例のＸ線撮影装置で患者を撮影する様子を示す図である。
【図４】本発明を実施するため最良の形態の一例のディテクタパネルの基本構成を示す図である。
【図５】本発明を実施するため最良の形態の一例のディテクタパネルの内部構成を示す図である。
【図６】本発明を実施するため最良の形態の一例のディテクタパネルの内部構成を示す図である。
【図７】本発明を実施するため最良の形態の一例のディテクタパネルの内部構成を示す図である。
【図８】本発明を実施するため最良の形態の一例のディテクタパネルの内部構成を示す図である。
【図９】本発明を実施するため最良の形態の一例のディテクタパネルの内部構成を示す図である。
【図１０】本発明を実施するため最良の形態の一例のディテクタパネルの内部構成を示す図である。
【符号の説明】
【００６１】
５１ ： Ｘ線検出器アセンブリ
５２ ： Ｘ線検出器
５２ａ ： シンチレータレイヤー
５２ｂ ： 光電変換レイヤー
５２ｃ ： ガラスサブストレート
５３ ： 支持部材
５３ａ ： 突出部
５４ ： 電気回路基板
５５ ： ケース
５６ ： フレキシブル回路基板
５７ｂ ： スペーサ
５７ｃ ： スペーサ
５９ａ ： 緩衝部材
６０ａ ： 緩衝部材
６１ａ ： 突出部
１００ ： システムコンソール
１０８ ： ビン
１１０ ： コラム
１２０ ： アーム
１３０ ： Ｘ線照射器
１３２ ： ケーブル
２００ ： ディテクタパネル
【図１】
0005405777.tif 000002
【図２】
0005405777.tif 000003
【図３】
0005405777.tif 000004
【図４】
0005405777.tif 000005
【図５】
0005405777.tif 000006
【図６】
0005405777.tif 000007
【図７】
0005405777.tif 000008
【図８】
0005405777.tif 000009
【図９】
0005405777.tif 000010
【図１０】
0005405777.tif 000011